(57)【要約】  【課題】本発明では不点灯になった高圧放電ランプを交換する際に、接続されている全ての高圧放電ランプの電源を遮断することなく、交換が必要な高圧放電ランプのみへの電力の供給を遮断し、安全に高圧放電ランプを交換したのち、速やかに交換した高圧放電ランプを点灯させることのできる高圧放電ランプ点灯装置および高圧放電ランプ点灯システムを提供する。  【解決手段】例えば、０．２秒程度の電源ＯＦＦ状態を数回生成するなどすることでパルスリセット信号とし、制御ＩＣ16は、このようなパルスリセット信号が電源電圧検出手段21に入力されたときには、ランプ電圧検出回路（不点検出手段）18によって高圧放電ランプＬが不点であった場合には、高圧パルス発生手段IGを再び動作させて高圧放電ランプLの再始動する制御を行い、高圧放電ランプＬが点灯中であった場合ではそのまま高圧放電ランプＬの点灯を維持するようにパルスリセット信号は無視する制御を行う。  【選択図】  図１
2006269158.tif 000002
【特許請求の範囲】
【請求項１】
高圧パルス電圧を印加して高圧放電ランプを点灯させる高圧パルス発生手段と；
高圧放電ランプを点灯・不点を検出する不点検出手段と
電源電圧の入力値を監視する電源電圧監視手段と；
電源監視手段が電源によるパルスリセット信号を検出し、不点検出手段が高圧放電ランプの不点灯を検出したときにはパルス発生手段を動作させる制御手段と；
を具備していることを特徴とする高圧放電ランプ点灯装置。
【請求項２】
請求項１に記載の高圧放電ランプ点灯装置と；
電源と高圧放電ランプ点灯装置の間に配設され、電源電圧をパルスリセット信号に変化させるパルス信号生成手段と；
を具備していることを特徴とする高圧放電ランプ点灯システム。
【請求項３】
高圧パルス電圧を印加して高圧放電ランプを点灯させる高圧パルス発生手段と；
高圧放電ランプを点灯・不点を検出する不点検出手段と
調光信号が入力され調光信号を判別する調光信号入力回路と；
調光信号がパルスリセット信号であると判別され、不点検出手段が高圧放電ランプの不点灯を検出したときにパルス発生手段を動作させる制御手段と；
を具備していることを特徴とする高圧放電ランプ点灯装置。
【請求項４】
請求項３に記載の高圧放電ランプ点灯装置と；
高圧放電ランプ点灯装置の調光信号入力回路へ調光信号および調光信号を変形してパルスリセット信号を送信する調光信号生成手段と；
を具備していることを特徴とする高圧放電ランプ点灯システム。
【発明の詳細な説明】
【技術分野】
【０００１】
本発明は、高圧放電ランプ点灯装置および高圧放電ランプ点灯システムに関する。
【背景技術】
【０００２】
メタルハライドランプなどの高圧放電ランプを始動し点灯するために、パルス発生回路（イグナイタ）により高圧パルスを高圧放電ランプに印加することが行われている。その際、高圧放電ランプが不点灯になった場合に高圧パルスを印加し続けると、安全上好ましくなく、高圧放電ランプ点灯装置自体もいたみ、また周囲の電子及び電気機器に悪影響を及ぼす。そのため、電源投入から一定時間後にパルス発生回路の動作を停止させるパルス停止回路を備えたものがある。
【０００３】
特許文献１は高圧放電ランプの異常点灯による発熱部の温度上昇によって作動して、高圧放電ランプへの電流供給を停止させるように、復帰型温度ヒューズが設けられ、パルス発生回路が、復帰型温度ヒューズの作動から電源が再投入されるまでパルス電圧の発生を停止するように構成されている。
これは例えば、店舗のように、多数の高圧放電ランプを使用しているところでは、電源スイッチが複数設けられ、多数の高圧放電ランプは数台ごとに電源スイッチにそれぞれ配置されて、高圧放電ランプ点灯装置は、高圧放電ランプ１個に１組ずつ設けられている。このような店舗の営業中に高圧放電ランプが不点灯になった場合、高圧放電ランプを新しい高圧放電ランプに交換しても、新しい高圧放電ランプは点灯しない。これは、その高圧放電ランプ用のパルス停止回路がパルス発生回路を不作動化したままであるので、高圧パルスが新しい高圧放電ランプに印加されないからである。このため新しい高圧放電ランプを点灯させるには、一旦電源スイッチを切って、電源を再投入する必要がある。
【０００４】
しかしながら、電源を再投入することは電源スイッチに接続され多数の高圧放電ランプも消灯することになり、営業中にこのように多数の高圧放電ランプを消灯させることができないので、営業中は、その高圧放電ランプだけ消灯した状態にせざるを得なかった。
【０００５】
このため特許文献２では、消灯している交換すべき高圧放電ランプをランプソケットから外し、仮ランプ（例えば、始動にパルスを必要としない１００Ｗの水銀ランプ、抵抗体として利用できる白熱電球など）を装着し点灯させた後、ランプソケットから外し、交換すべき新しい高圧放電ランプを装着し、仮ランプをソケットに装着し点灯させることにより、安定器の二次側電圧が一時的に９６Ｖ以下に下がり、パルス停止回路がリセットされ、新しい高圧放電ランプはパルス発生回路により始動され点灯されることが開示されている。このように複数の高圧放電ランプのうち不点灯になった高圧放電ランプだけを、他の高圧放電ランプを消灯させることなく交換することができるものである。
【特許文献１】特開２００２−１５１２８０号公報
【特許文献２】特開平７−２７２８７０号公報
【発明の開示】
【発明が解決しようとする課題】
【０００６】
しかしながら、特許文献１では、高圧放電ランプを取り替えた場合には、パルス発生回路をリセットさせるために一旦、電源を遮断させる必要がある。ところが、店舗のような場所においては一つの電源回路に複数の照明装置が接続されているため、１つの高圧放電ランプの交換のために店舗全体の照明を消灯しなければならないという問題が生じる。かかる問題は、安定に点灯するまでに数分を要するような高圧放電ランプにおいては致命的である。
また、特許文献２では、一つの高圧放電ランプを交換する際に全ての高圧放電ランプを消灯させる必要はない。しかしながら、ランプ交換の作業中に仮ランプをソケットに装着することは作業が煩雑になるだけでなく、高所での作業が多くなり作業者の危険が伴う虞がある。また、ランプ交換後に直ちに高圧放電ランプが始動を開始してしまうことは、作業者が高圧放電ランプ付近にいる状態が想定され、高電圧の印加や高圧放電ランプが発生する高い輝度が作業者の目に投射してしまうなど作業者に危険を与える虞がある。
【０００７】
このため、本発明では不点灯になった高圧放電ランプを交換する際に、接続されている全ての高圧放電ランプの電源を遮断することなく、交換が必要な高圧放電ランプのみへの電力の供給を遮断し、安全に高圧放電ランプを交換したのち、速やかに交換した高圧放電ランプを点灯させることのできる高圧放電ランプ点灯装置および高圧放電ランプ点灯システムを提供することを目的とする。
【課題を解決するための手段】
【０００８】
請求項１の発明の高圧放電ランプ点灯装置は、高圧パルス電圧を印加して高圧放電ランプを点灯させる高圧パルス発生手段と；高圧放電ランプを点灯・不点を検出する不点検出手段と電源電圧の入力値を監視する電源電圧監視手段と；電源監視手段が電源によるパルスリセット信号を検出し、不点検出手段が高圧放電ランプの不点灯を検出したときにはパルス発生手段を動作させる制御手段と；を具備している。
【０００９】
請求項２の発明の高圧放電ランプ点灯システムは、請求項１に記載の高圧放電ランプ点灯装置と；電源と請求項１の高圧放電ランプ点灯装置の間に配設され、電源電圧をパルスリセット信号に変化させるパルス信号生成手段と；を具備している。
【００１０】
本発明および以下の各発明において、特に指定しない限り、用語の定義および技術的な意味は次による。
【００１１】
高圧放電ランプは、水銀ランプ、メタルハライドランプ、高圧ナトリウムランプおよびセラミックメタルハライドランプ等を許容する。高圧放電ランプは交流点灯方式および直流点灯方式どちらでも採用することができる。
【００１２】
高圧パルス発生手段は、高圧放電ランプの始動時に高いエネルギーを高圧放電ランプに印加して始動させるものであればよく、主としては昇圧回路やトランスなどを組み合わせてパルス状の高電圧を高圧放電ランプに供給するものが一般的に用いられる。このとき、高圧パルス発生手段は、高圧放電ランプが始動するまで高電圧パルスを連続的または間欠的に印加することによって、高圧放電ランプの始動を確実にするものであるが、数分から数十分に亘り高電圧を印加しても高圧放電ランプが点灯しない場合は、高いパルス電圧によって回路やソケットが破壊されることがないよう高圧パルス発生手段の動作を停止して高圧放電ランプに電力が供給されないようにする機能をもつのが好ましい。
【００１３】
不点検出手段は、ランプ電圧、ランプ電流または光出力や温度などを利用して高圧放電ランプの点灯または消灯の状態を検出するものである。高圧放電ランプの不点は始動できなかった場合のほか、立ち消えによる消灯や異常の検出によって強制的に消灯させる場合で生じる。高圧放電ランプ不点が検出された場合には、少なくともランプソケットへの電力の供給は停止する。
【００１４】
電源電圧検出手段は、商用電源電圧を整流・平滑などして現れた電圧検出する、またはトランスなどを介して変圧および抵抗などによって分圧するなどによって電源電圧を検出する。
【００１５】
パルスリセット信号は、電源電圧に重畳、加工などして生成した信号を用いることができる。例えば、０．２秒程度（ランプの立ち消えなどが生じない程度）の電源ＯＦＦ状態を数回生成する、電源電圧を５０％低減させた状態を０．１秒から数秒間生成するなど電源電圧を加工してパルスリセット信号とすることを許容する。このようなパルスリセット信号は電源と高圧放電ランプ点灯装置との間に配設されることが好ましい。さらには、高圧放電ランプ点灯装置はこのパルスリセット信号生成手段と並列に多数接続することを許容する。
【００１６】
制御手段は、所望の電力を高圧放電ランプが得られるように点灯装置の出力電力を調整する機能を主に有する。このほか点灯装置の制御、例えば、始動時の始動装置の制御、高圧放電ランプの調光、点灯装置の異常時に回路を停止させるなどを行い点灯装置の保護機能などを持つことも許容する。制御手段は、マイクロコンピュータを用いることもできる。マイクロコンピュータを用いることで、回路の簡略化および小型化を図ることができる。
【００１７】
制御手段は、パルスリセット信号が電源電圧とともに電源電圧検出手段に入力されたときには、不点検出手段によって高圧放電ランプが不点であった場合には、高圧パルス発生手段を再び動作させて高圧放電ランプの再始動する制御を行い、高圧放電ランプが点灯中であった場合ではそのまま高圧放電ランプの点灯を維持するようにパルスリセット信号は無視する制御を行う。
【００１８】
請求項３の発明の高圧放電ランプ点灯装置は、高圧パルス電圧を印加して高圧放電ランプを点灯させる高圧パルス発生手段と；高圧放電ランプを点灯・不点を検出する不点検出手段と；光信号が入力され調光信号を判別する調光信号入力回路と；調光信号がパルスリセット信号であると判別され、不点検出手段がランプの不点灯を検出したときにパルス発生手段を動作させる制御手段と；を具備している。
【００１９】
請求項４の発明の高圧放電ランプ点灯システムは、請求項３に記載の高圧放電ランプ点灯装置と；高圧放電ランプ点灯装置の調光信号入力回路へ調光信号および調光信号を変形してパルスリセット信号を送信する調光信号生成手段と；を具備している。
【００２０】
調光信号は、高圧放電ランプを調光させるための信号であって、ＰＷＭや時分割伝送などの形態で送信される。高圧放電ランプは入力電力が低くなりすぎると立ち消える虞があるため調光は例えば２０％以上に抑えられる。この特徴を利用して、２０％以下の調光率をパルスリセット信号として規定するなどして生成する、さらに０％調光の信号をパルス状に加えるなどして、それぞれの点灯装置に送信することも許容する。
【００２１】
制御手段は、このようなパルスリセット信号が調光信号とともに制御手段に入力されたときには、不点検出手段によって高圧放電ランプが不点であった場合には、高圧パルス発生手段を再び動作させて高圧放電ランプの再始動を行い、高圧放電ランプが点灯中であった場合ではそのまま高圧放電ランプの点灯を維持するようにパルスリセット信号は無視する。
【発明の効果】
【００２２】
請求項１および請求項２の発明によれば、特別な器具や備品などを用いることなく、不点灯になった高圧放電ランプを交換する際に、接続されている全ての高圧放電ランプの電源を遮断することなく、交換が必要な高圧放電ランプのみへの電力の供給を遮断し、安全に高圧放電ランプを交換したのち、交換した高圧放電ランプのみに高圧パルス発生手段を動作させてこの高圧放電ランプを点灯させることのできる高圧放電ランプ点灯装置および高圧放電ランプ点灯システムを提供することができる。
【００２３】
請求項３および請求項４の発明によれば、さらに従来から用いている調光機能用の点灯装置のシステムを使用しながら特別な器具や備品などを用いることなく、不点灯になった高圧放電ランプを交換する際に、接続されている全ての高圧放電ランプの電源を遮断することなく、交換が必要な高圧放電ランプのみへの電力の供給を遮断し、安全に高圧放電ランプを交換したのち、交換した高圧放電ランプのみに高圧パルス発生手段を動作させてこの高圧放電ランプを点灯させることのできる高圧放電ランプ点灯装置および高圧放電ランプ点灯システムを提供することができる。
【発明を実施するための最良の形態】
【００２４】
本発明の第１の実施形態である高圧放電ランプ点灯装置を図１を参照して説明する。図１は、高圧放電ランプ点灯装置の回路図である。図２は高圧放電ランプなどの配置状態などを示すシステム概略図である。なお、これらの図中、同一または相当部分には同一符号を付して、重複した説明の記載は省略または簡略化している。
【００２５】
図１の回路図において、交流電源Ｖｓに高圧放電ランプＬへの電源の入り切りを行う電源スイッチS1が接続され、さらにリセット信号生成回路17が接続される。この電源スイッチS1とリセット信号生成回路17は同じ電源ボックスSBに収納される。リセット信号生成回路17は電源電圧に0.1〜0.2秒程度の電源瞬断期間を２回1秒以内に発生させることでリセット信号とし、同じ電源瞬断期間を３回1秒以内に発生させることで停止信号として生成して出力する。高圧放電ランプ点灯装置１は端子ａで電源と接続され、この端子ａは図２に示すように複数の高圧放電ランプ点灯装置１および高圧放電ランプ点灯装置１に接続された高圧放電ランプＬが並列に接続されている。これら並列に接続された複数の高圧放電ランプ点灯装置１にそれぞれ、電源電圧VsのＯＮ／ＯＦＦおよびリセット信号生成回路17で生成したリセット信号電源停止信号を出力する。
【００２６】
高圧放電ランプ点灯装置１に入力された電力はフィルタ回路11、整流回路12、昇圧チョッパー13、降圧チョッパー14、極性反転回路15、高圧パルス発生回路IGおよび高圧放電ランプＬを順次接続している。電源電圧検出手段21は、フィルタ回路11の出力端にダイオードD21,D22を接続して整流した脈流を取り出して電源電圧を検出している。
【００２７】
整流回路12は、ブリッジ型全波整流回路BD、平滑回路C1などからなり、商用交流電源VSを整流し、直流電源を出力している。昇圧チョッパー13は、整流回路12にインダクタンスL1、スイッチング素子FET1の直列回路が接続されている。スイッチング素子Q1の両端には逆流素子用のダイオードD1を介して平滑用のコンデンサC1が接続されている。また、スイッチング素子Q1は、電界効果型トランジスタ（ＦＥＴ）を用いており、ＦＥＴQ1のドレインがインダクタンスL1とダイオードD1の接続端に、ＦＥＴQ1のソースがコンデンサC1と整流回路12の出力端に接続されている。ＦＥＴQ1のゲートは、制御ＩＣ16と接続されている。昇圧チョッパー13はＦＥＴQ1のスイッチングにより、コンデンサC1にかかる電圧を制御して出力している。
【００２８】
降圧チョッパー14は、昇圧チョッパー13の出力端に、還流用のダイオードD2とスイッチング素子Q2の直列回路が接続されている。ダイオードD2の両端にインダクタンスL2および平滑用のコンデンサC3が接続されている。また、スイッチング素子Q2もまた電界効果型トランジスタ（ＦＥＴ）を用いており、ＦＥＴQ2のドレインが昇圧チョッパー13の出力端に、ＦＥＴQ2のソースがインダクタンスL2とダイオードD2の接続端に接続されている。ＦＥＴQ2のゲートは、制御ＩＣ16と接続されている。降圧チョッパー14はＦＥＴQ2のスイッチングにより、コンデンサC2にかかる電圧を一定化して出力している。
【００２９】
極性反転回路１５は、４つの電界効果型トランジスタ（ＦＥＴ）Q3〜Q6からなるフルブリッジ回路で構成される。極性反転回路15の出力端には、高圧パルスを発生する高圧パルス発生回路IG、高圧放電ランプＬおよびランプ電圧検出回路18が並列に接続されている。ランプ電圧検出回路18は高圧放電ランプＬの両端にかかる電圧を検出して高圧放電ランプＬの点灯・不点灯を検出するとともに、ランプ電圧を検出した結果高圧放電ランプＬの異常なども検出して、制御ＩＣ16に入力する。
【００３０】
高圧パルス発生回路IGは図示しないが昇圧コイルやトリガ発生回路などで構成され、高圧放電ランプＬにパルス状の高電圧を印加する。高圧パルス発生回路IGは連続的または間欠的に動作して高電圧パルスを発生させて、高圧放電ランプＬを点灯させるものであるが、高圧放電ランプＬの不具合などによって高圧放電ランプＬが始動しない場合がまれに発生する。この場合高圧パルス発生回路IGは数分から数十分動作させえた後でも高圧放電ランプＬが点灯しない場合は、この高圧放電ランプＬは異常であるとみなして高圧パルス発生回路IGの動作を停止させ、降圧チョッパー14のＦＥＴQ2をＯＦＦとする。こうすることで、高電圧パルスを高圧放電ランプＬおよびソケットに印加し続けるのを予防し、高圧放電ランプＬに供給する電力を低減することができる。
【００３１】
次に、回路の動作を説明する。まず、高圧放電ランプＬが正常に始動した後に異常が生じ消灯した場合について説明する。高圧放電ランプＬが正常に始動した後、ランプ電圧が例えば増大してランプ電圧検出回路18がランプ電圧の異常を判別した場合、その結果をランプ電圧検出回路18は制御ＩＣ16に入力する。そして、制御ＩＣ16は高圧放電ランプＬへの電力の供給を停止するため降圧チョッパー14のＦＥＴQ2を停止させ、高圧放電ランプLを消灯させる。高圧放電ランプLが消灯したことによってランプ電圧検出回路18で検出される電圧がなくなるため、ランプ電圧検出回路18は制御ＩＣ16で高圧放電ランプLが不点であることを出力する。
【００３２】
また、この他に高圧放電ランプLが立ち消えを生じて不点灯になった場合にはランプ電圧がなくなってしまうのでランプ電圧検出手段は高圧放電ランプLが不点灯であると判別して制御ＩＣ16に結果を出力し、制御ＩＣ16は高圧放電ランプＬへの電力の供給を停止するため降圧チョッパー14のＦＥＴQ2を停止させ、高圧放電ランプLを消灯させる。他に、ランプ電圧が異常に低下したときにもランプ電圧検出回路18は高圧放電ランプLが異常であると判別して制御ＩＣ16は高圧放電ランプＬへの電力の供給を停止するため降圧チョッパー14のＦＥＴQ2を停止させ、高圧放電ランプLを消灯させる。
【００３３】
このような状態では、異常な高圧放電ランプＬが不点灯であり正常な高圧放電ランプＬは正常に点灯している。メンテナンスを行う際には、不点灯の高圧放電ランプＬのみを交換すれば異常な高圧放電ランプＬを正常な高圧放電ランプＬに交換することができる。この状態では交換が必要な異常な高圧放電ランプLは不点灯であり高圧放電ランプＬに電力が供給されていない状態であるので、正常に点灯している高圧放電ランプＬを消灯することなくランプ交換を行うことができる。
【００３４】
高圧放電ランプＬに電力が供給されていない状態が保持されたままなので、高圧放電ランプＬを交換したのみでは高圧放電ランプＬを点灯させる事はできない。このように高圧放電ランプＬの交換が終了した状態で、電源ボックスSBのリセット信号生成回路17によりリセット信号を発信する。電源電圧に0.1〜0.2秒程度の電源瞬断期間を２回1秒以内に発生させたリセット信号は、電源電圧の供給とともに端子ａに接続されるすべての点灯装置１に供給される。ランプの交換を行わなかった正常な高圧放電ランプＬは、メンテナンス中も点灯していたのでリセット信号が供給されてもリセット信号を無視して正常に安定点灯を続ける。それに対してランプ交換を行った高圧放電ランプＬは、交換前の高圧放電ランプＬが不点灯であったために不点灯であると検出された信号を保持しているのでリセット信号を供給されてときには、停止していた降圧チョッパー14のＦＥＴQ2を再度動作させて高圧パルス発生回路IGを動作させて高圧放電ランプＬを点灯させる。
【００３５】
このように、従来まではメンテナンスの時には電源スイッチS1をＯＦＦして接続された全ての高圧放電ランプＬを消灯しなければ高圧放電ランプＬを交換することができなかったが、正常な高圧放電ランプＬを点灯させたままの状態でランプ交換を行うことができ、さらにはパルスのリセットの作業を簡略化することができた。
【００３６】
次に、高圧放電ランプＬを始動させるため高圧パルス発生回路IGの動作中に高圧放電ランプＬの不具合が生じた場合について説明する。高圧パルス発生回路IGは高圧放電ランプＬが点灯するまで数分〜数十分の間に亘り高電圧パルスを出力し続けるが、速やかに点灯しなかった高圧放電ランプＬは不具合がある可能性が大きい。このため高圧パルス発生回路IGが動作中にリセット信号生成回路17によって電源瞬断期間を３回1秒以内に発生させることで停止信号として生成して出力すると、このときまでに点灯しなかった高圧放電ランプＬのランプ電圧検出回路18は高圧放電ランプＬが点灯していないので不点灯であると検出し、そこに停止信号が入力されると、制御ＩＣ16は降圧チョッパー14のＦＥＴQ2を停止させ、高圧パルス発生回路IGおよび高圧放電ランプＬへの電力の供給を停止する。リセット信号生成回路17から停止信号が出力されたときまでに点灯した高圧放電ランプＬについては、ランプ電圧検出回路18は高圧放電ランプＬの点灯を検出しているので停止信号を制御ＩＣ16は停止信号を無視して高圧放電ランプＬを正常に点灯させることができる。
【００３７】
そうして、ランプ交換が終了した状態で、電源ボックスSBのリセット信号生成回路17によりリセット信号を発信する。電源電圧に0.1〜0.2秒程度の電源瞬断期間を２回1秒以内に発生させたリセット信号は、電源電圧の供給とともに端子ａに接続されるすべての点灯装置１に供給される。ランプの交換を行わなかった正常な高圧放電ランプＬは、メンテナンス中も点灯していたのでリセット信号が供給されてもリセット信号を無視して正常に安定点灯を続ける。それに対してランプ交換を行った高圧放電ランプＬは、交換前の高圧放電ランプＬが不点灯であったために不点灯であると検出された信号を保持しているのでリセット信号を供給されてときには、停止していた降圧チョッパー14のＦＥＴQ2を再度動作させて高圧パルス発生回路IGを動作させて高圧放電ランプＬを点灯させる。
【００３８】
このようにすることで、ランプ交換のメンテナンスを行うことによって、電源投入後高圧放電ランプＬの安定点灯までの時間を要する前にもランプ交換の作業を開始することができる。
【００３９】
本発明の第２の実施形態を図３ないし図５を参照して説明する。図３は第２の実施形態の点灯装置の回路図、図４は高圧放電ランプＬなどの配置状態などを示すシステム概略図、図５は調光信号のデューティ比と光出力の関係を示すグラフである。
【００４０】
1は、調光機能付高圧放電ランプ点灯装置である。調光信号は例えば中央制御装置CTなどで生成されて各点灯装置1に送信される。このとき図示しないが、端末機などを介して各点灯装置1に送信するようにしてもよい。調光信号は、ＰＷＭ信号として点灯装置に与えられる。このＰＷＭ信号は例えば図５に示すように調光信号のＰＷＭ信号のデューティ比と光出力の関係が設定されている。この種の高圧放電ランプＬでは、ランプの光出力を低下させるためにランプ電力を低減させると立ち消えを生じて消灯してしまう特性を有している。このため光出力が５０％以下にならないように調光信号のデューティ比が５０％を超える信号は全て５０％調光となるように制御する。このように設定した場合、デューティ比５０％以上の信号の一部分である９５％のデューティ比の調光信号をパルスリセット信号、１００％のデューティ比を停止信号として使用する。
【００４１】
このようなＰＷＭ信号として送信された調光信号は、調光信号形成回路22に入力される。ここではＰＷＭ信号を直流電圧のレベルに変換し制御ＩＣ16に入力し、制御ＩＣ16は入力された調光レベルの光出力となるように高圧放電ランプＬへの電力の供給を調整する。
【００４２】
ここで、調光信号が９５％である信号が入力され場合、このレベルの調光信号はパルスリセット信号であるので、点灯装置1は調光制御を行わない、そうしてランプ電圧検出回路18がランプ不点を検出していた場合にはランプの再始動を行うため停止していた降圧チョッパー14のＦＥＴQ2を再度動作させて高圧パルス発生回路IGを動作させて高圧放電ランプＬを点灯させる。ランプ電圧検出回路18がランプの点灯状態を検出していた場合では、制御ＩＣ16は調光信号を無視してランプの安定点灯を継続する。
【００４３】
また、高圧放電ランプＬを始動させるため高圧パルス発生回路IGの動作中に高圧放電ランプＬの不具合が生じた場合について説明する。高圧パルス発生回路IGが動作中に調光信号のデューティ比が１００％の停止信号が受信されると、速やかに点灯しなかった高圧放電ランプＬのランプ電圧検出回路18は高圧放電ランプＬが点灯していないので不点灯であると検出しおり、そこに停止信号が入力されると、制御ＩＣ16は降圧チョッパー14のＦＥＴQ2を停止させ、高圧パルス発生回路IGおよび高圧放電ランプＬへの電力の供給を停止する。このときまでに点灯した高圧放電ランプＬについては、ランプ電圧検出回路18は高圧放電ランプＬの点灯を検出しているので停止信号を制御ＩＣ16は停止信号を無視して高圧放電ランプＬの点灯を維持することができる。
【００４４】
このように、従来はメンテナンスの時には電源スイッチS1をＯＦＦして接続された全ての高圧放電ランプＬを消灯しなければ高圧放電ランプＬを交換することができなかったが、正常な高圧放電ランプＬを点灯させたままの状態でランプ交換を行うことができ、さらにはパルスのリセットの作業を簡略化することができた。さらには、調光信号を加工することでの停止信号およびリセット信号を送信することができるので、従来のシステムを応用した状態で使用することができる。
【図面の簡単な説明】
【００４５】
【図１】本発明の第１の実施形態である高圧放電ランプ点灯装置の回路図。
【図２】同じく高圧放電ランプなどの配置状態などを示すシステム概略図。
【図３】本発明の第２の実施形態である高圧放電ランプ点灯装置の回路図。
【図４】同じく高圧放電ランプなどの配置状態などを示すシステム概略図。
【図５】同じく調光信号のＰＷＭ信号のデューティ比と光出力の関係を示すグラフ。
【符号の説明】
【００４６】
１・・・高圧放電ランプ点灯装置    ＶＳ…商用交流電源    １７…リセット信号生成回路    Ｌ…高圧放電ランプ    １６…制御ＩＣ    １８・・・ランプ電圧検出回路（不点検出回路）    ＩＧ…始動回路
【図１】
2006269158.tif 000003
【図２】
2006269158.tif 000004
【図３】
2006269158.tif 000005
【図４】
2006269158.tif 000006
【図５】
2006269158.tif 000007